(57)【要約】【課題】通信相手の端末とセッションを確立して通信中に、他の端末から接続要求があった場合に、通信相手を他の端末に変更可能なサービスを実現する通信制御方法および通信システムを提供する。【解決手段】通信制御方法は、制御装置が記憶手段にセッションを確立して通信を行っている端末の識別情報を記憶し、制御装置が第２端末から第１端末への接続要求を受信した状況で第１端末の識別情報が記憶手段内あると、接続要求に通信中情報を付加してＴＡに送信し、ＴＡがその接続要求を受信すると、第１端末に通知情報を送信し、ＴＡが第１端末から切り替え情報を受信すると、第１端末の通信相手を第２端末に切り替え、制御装置に接続要求に対する応答を送信し、制御装置が応答を受信すると、第１端末と第２端末とのセッションを確立して端末間の通信を許容する。【選択図】図１
2010147646.tif 000002
【特許請求の範囲】
【請求項１】
第１端末と接続するターミナルアダプタと、前記ターミナルアダプタと接続する制御装置と、を含む通信システムが行う通信制御方法であって、
前記制御装置が、記憶手段に、セッションを確立して通信を行っている端末の識別情報を記憶する記憶ステップと、
前記制御装置が、第２端末から前記第１端末への接続要求を受信した状況で、当該接続要求に記載の第１端末の識別情報が、前記記憶手段内に存在する場合、当該接続要求に、通信中に接続要求があった旨の通信中情報を付加し、当該通信中情報が付加された接続要求を、前記ターミナルアダプタに送信する接続要求制御ステップと、
前記ターミナルアダプタが、前記通信中情報が付加された接続要求を受信すると、前記第１端末に、通信中に接続要求があった旨の通知情報を送信する通知情報送信ステップと、
前記ターミナルアダプタが、前記通知情報を送信した後に、前記第１端末から、通信相手を切り替える旨の切り替え情報を受信すると、前記第１端末の通信相手を前記第２端末に切り替え、かつ、前記制御装置に、前記接続要求に対する応答を送信する応答送信ステップと、
前記制御装置が、前記ターミナルアダプタから前記応答を受信すると、前記第１端末と前記第２端末とのセッションを確立して、前記第１端末と前記第２端末との間の通信を許容するセッション確立ステップと、を含む通信制御方法。
【請求項２】
請求項１に記載の通信制御方法において、
前記制御装置は、予め定められた端末の識別情報を格納する格納手段を含むものであり、
前記接続要求制御ステップでは、前記第２端末から前記第１端末への接続要求を受信した状況で、当該接続要求に記載の第１端末の識別情報が、前記記憶手段内および前記格納手段内に存在する場合、当該接続要求に、前記通信中情報を付加し、当該通信中情報が付加された接続要求を、前記ターミナルアダプタに送信する、通信制御方法。
【請求項３】
請求項１または２に記載の通信制御方法において、
前記第１端末が第３端末とセッションを確立して通信を行っている際に、前記ターミナルアダプタが、前記第１端末から前記切り替え情報を受信すると、前記第３端末に、保留状態を知らせる旨の保留情報を送信する保留情報送信ステップを、さらに含む、通信制御方法。
【請求項４】
第１端末と接続するターミナルアダプタと、前記ターミナルアダプタと接続する制御装置と、前記制御装置と接続する通知装置と、を含む通信システムが行う通信制御方法であって、
前記制御装置が、記憶手段に、セッションを確立して通信を行っている端末の識別情報を記憶する記憶ステップと、
前記制御装置が、第２端末から前記第１端末への接続要求を受信した状況で、当該接続要求に記載の第１端末の識別情報が、前記記憶手段内に存在する場合、当該接続要求に、通信中に接続要求があった旨の通信中情報を付加し、当該通信中情報が付加された接続要求を、前記ターミナルアダプタおよび前記通知装置に送信する接続要求制御ステップと、
前記通知装置が、前記通信中情報が付加された接続要求を受信すると、前記第１端末に、通信中に接続要求があった旨の通知情報を送信する通知情報送信ステップと、
前記ターミナルアダプタが、前記通知情報を受信した前記第１端末から、通信相手を切り替える旨の切り替え情報を受信すると、前記第１端末の通信相手を前記第２端末に切り替え、かつ、前記制御装置に、前記接続要求に対する応答を送信する応答送信ステップと、
前記制御装置が、前記ターミナルアダプタから前記応答を受信すると、前記第１端末と前記第２端末とのセッションを確立して、前記第１端末と前記第２端末との間の通信を許容するセッション確立ステップと、を含む通信制御方法。
【請求項５】
請求項４に記載の通信制御方法において、
前記制御装置は、予め定められた端末の識別情報を格納する格納手段を含むものであり、
前記接続要求制御ステップでは、前記第２端末から前記第１端末への接続要求を受信した状況で、当該接続要求に記載の第１端末の識別情報が、前記記憶手段内および前記格納手段内に存在する場合、当該接続要求に、前記通信中情報を付加し、当該通信中情報が付加された接続要求を、前記ターミナルアダプタおよび前記通知装置に送信する、通信制御方法。
【請求項６】
請求項４または５に記載の通信制御方法において、
前記制御装置が、前記ターミナルアダプタから前記応答を受信すると、前記通知装置に、保留情報を出力する旨の出力指示を送信する出力指示送信ステップと、
前記通知装置が、前記制御装置から前記出力指示を受信すると、前記第１端末の通信相手のうち前記第２端末の直前の通信相手であった第３端末に、保留状態を知らせる旨の保留情報を送信する保留情報送信ステップを、さらに含む、通信制御方法。
【請求項７】
第１端末と接続するターミナルアダプタと、前記ターミナルアダプタと接続する制御装置と、を含む通信システムであって、
前記制御装置は、
セッションを確立して通信を行っている端末の識別情報を記憶する記憶手段と、
第２端末から前記第１端末への接続要求を受信した状況で、当該接続要求に記載の第１端末の識別情報が、前記記憶手段内に存在する場合、当該接続要求に、通信中に接続要求があった旨の通信中情報を付加し、当該通信中情報が付加された接続要求を、前記ターミナルアダプタに送信する接続要求制御手段と、
前記ターミナルアダプタから前記接続要求に対する応答を受信すると、前記第１端末と前記第２端末とのセッションを確立して、前記第１端末と前記第２端末との間の通信を許容するセッション確立制御手段と、を含み、
前記ターミナルアダプタは、
前記制御装置から前記通信中情報が付加された接続要求を受信すると、前記第１端末に、通信中に接続要求があった旨の通知情報を送信する通知情報送信手段と、
前記第１端末から、通信相手を切り替える旨の切り替え情報を受信すると、前記第１端末の通信相手を前記第２端末に切り替え、かつ、前記制御装置に、前記接続要求に対する応答を送信する応答送信手段と、を含む、通信システム。
【請求項８】
請求項７に記載の通信システムにおいて、
前記制御装置は、予め定められた端末の識別情報を格納する格納手段を、さらに含み、
前記接続要求制御手段は、前記第２端末から前記第１端末への接続要求を受信した状況で、当該接続要求に記載の第１端末の識別情報が、前記記憶手段内および前記格納手段内に存在する場合、当該接続要求に、前記通信中情報を付加し、当該通信中情報が付加された接続要求を、前記ターミナルアダプタに送信する、通信システム。
【請求項９】
請求項７または８に記載の通信システムにおいて、
前記ターミナルアダプタは、前記第１端末が第３端末とセッションを確立して通信を行っている際に、前記第１端末から前記切り替え情報を受信すると、前記第３端末に、保留状態を知らせる旨の保留情報を送信する保留情報送信手段を、さらに含む、通信システム。
【請求項１０】
第１端末と接続するターミナルアダプタと、前記ターミナルアダプタと接続する制御装置と、前記制御装置と接続する通知装置と、を含む通信システムであって、
前記制御装置は、
セッションを確立して通信を行っている端末の識別情報を記憶する記憶手段と、
第２端末から前記第１端末への接続要求を受信した状況で、当該接続要求に記載の第１端末の識別情報が、前記記憶手段内に存在する場合、当該接続要求に、通信中に接続要求があった旨の通信中情報を付加し、当該通信中情報が付加された接続要求を、前記ターミナルアダプタおよび前記通知装置に送信する接続要求制御手段と、
前記ターミナルアダプタから前記接続要求に対する応答を受信すると、前記第１端末と前記第２端末とのセッションを確立して、前記第１端末と前記第２端末との間の通信を許容するセッション確立制御手段と、を含み、
前記通知装置は、前記通信中情報が付加された接続要求を受信すると、前記第１端末に、通信中に接続要求があった旨の通知情報を送信する通知情報送信手段を含み、
前記ターミナルアダプタは、前記通知情報を受信した前記第１端末から、通信相手を切り替える旨の切り替え情報を受信すると、前記第１端末の通信相手を前記第２端末に切り替え、かつ、前記制御装置に、前記接続要求に対する応答を送信する応答送信手段を含む、通信システム。
【請求項１１】
請求項１０に記載の通信システムにおいて、
前記制御装置は、予め定められた端末の識別情報を格納する格納手段を、さらに含み、
前記接続要求制御手段は、前記第２端末から前記第１端末への接続要求を受信した状況で、当該接続要求に記載の第１端末の識別情報が、前記記憶手段内および前記格納手段内に存在する場合、当該接続要求に、前記通信中情報を付加し、当該通信中情報が付加された接続要求を、前記ターミナルアダプタおよび前記通知装置に送信する、通信システム。
【請求項１２】
請求項１０または１１に記載の通信システムにおいて、
前記セッション確立制御手段は、前記ターミナルアダプタから前記応答を受信すると、さらに、前記通知装置に、保留情報を出力する旨の出力指示を送信し、
前記通知装置は、前記制御装置から前記出力指示を受信すると、前記第１端末の通信相手のうち前記第２端末の直前の通信相手であった第３端末に、保留状態を知らせる旨の保留情報を送信する保留情報送信部を、さらに含む、通信システム。
【発明の詳細な説明】
【技術分野】
【０００１】
本発明は、通信制御方法および通信システムに関し、特には、次世代ネットワーク（ＮＧＮ：Next Generation Network）において、いわゆるコールウェイティングサービスを提供可能な通信制御方法および通信システムに関する。
【背景技術】
【０００２】
従来、電話の利用価値を高めるために多くの便利なサービスが提供されている。
【０００３】
その一つに、コールウェイティングサービスがある（非特許文献１および２参照）。コールウェイティングサービスでは、コールウェイティング契約者（以下、単に「契約者」と称する）の電話機（以下「契約者電話機」と称する）が、通話相手の電話機と接続している状況で、割り込み者の電話機からの着信があったとき、契約者が、契約者電話機に対して切り替え（フッキング）操作を行うことにより、契約者電話機の通話相手が、割り込み者の電話機に切り替えられる。
【０００４】
図１０は、交換機によるコールウェイティングサービス例を示す図である。
【０００５】
図１０において、契約者の電話機Ａが通話相手の電話機Ｂと接続している状況で、割り込み者の電話機Ｃから電話機Ａへの着信があった場合は、交換機１０１のコールウェイティング回路１０２が、電話機Ａに対して、着信表示音（ププッ・ププッ）を送出し、電話機Ｃから着信があったことを通知する。また、電話機Ｃには、可聴者信号送信回路１０３からの呼び出し音「ブルルルルルッ」が通知される。
【０００６】
契約者は、電話機Ａからの着信表示音を確認し、電話機Ｂの使用者との通話を一時保留し、電話機Ａの接続先を電話機Ｃに切り替える場合、電話機Ｂの使用者に、そのまま待つように依頼し、電話機Ａに対して、切り替え（１秒以下）操作を行う。これにより、コールウェイティング回路１０２が、電話機Ａの接続先を電話機Ｂから電話機Ｃに切り替え、電話機Ａと電話機Ｃとの間で音声通信が可能になる。
【０００７】
なお、保留中の電話機Ｂに対しては、可聴者信号送信回路１０３から待ち合わせメロディが送出される。
【０００８】
次に、契約者が、電話機Ｃの使用者との通話を保留し、再度、電話機Ａの接続先を電話機Ｂにしたいときには、契約者は、電話機Ａに対して、切り替え操作を行う。これにより、コールウェイティング回路１０２が、電話機Ａの接続先を電話機Ｃから電話機Ｂに切り替え、電話機Ａと電話機Ｂとの間で音声通信が可能になり、電話機Ｃが保留状態になって待ち合わせメロディが電話機Ｃに送出される。
【０００９】
また、ＩＰ（Internet Protocol）技術を利用した通信網として、ＮＧＮが注目されている。ＮＧＮでは、セッションがセッション管理用プロトコルを用いて管理され、データ通信がデータ通信用プロトコルを用いて管理される。
【００１０】
ＮＧＮを利用可能な音声通信技術として、ＶｏＩＰ（Voice over Internet Protocol）が知られている。ＶｏＩＰを利用した音声通信でも、セッション制御とデータ通信制御の両方が行われる。
【非特許文献１】日本電信電話公社、電気通信研究所、研究実用化報告第８巻第１２号（１９６９）「コールウェイティングサービスの実用化」
【非特許文献２】日本電信電話公社、電気通信研究所、研究実用化報告第１７巻第８号（１９６８）「新電話サービス導入に関する考察」
【発明の開示】
【発明が解決しようとする課題】
【００１１】
非特許文献１および２に記載のように、コールウェイティングサービスを実行する交換機は、セッション制御を行わない。
【００１２】
このため、交換機を用いたコールウェイティングサービスを、ＶｏＩＰのようなセッション制御を含む通信技術に適用しても、セッション制御が前提となる通信技術では、コールウェイティングサービスを実現することが困難であった。つまり、セッション制御が前提となる通信技術において、通信相手の端末とセッションを確立して通信している状況で、他の端末から接続要求があった場合に、通信相手を他の端末に変更可能なサービスを実現することが困難であった。
【００１３】
本発明の目的は、セッション制御を有する通信において、通信相手の端末とセッションを確立して通信している状況で、他の端末から接続要求があった場合に、通信相手を他の端末に変更可能なサービスを実現することが可能な通信制御方法および通信システムを提供することである。
【課題を解決するための手段】
【００１４】
本発明の通信制御方法は、第１端末と接続するターミナルアダプタと、前記ターミナルアダプタと接続する制御装置と、を含む通信システムが行う通信制御方法であって、前記制御装置が、記憶手段に、セッションを確立して通信を行っている端末の識別情報を記憶する記憶ステップと、前記制御装置が、第２端末から前記第１端末への接続要求を受信した状況で、当該接続要求に記載の第１端末の識別情報が、前記記憶手段内に存在する場合、当該接続要求に、通信中に接続要求があった旨の通信中情報を付加し、当該通信中情報が付加された接続要求を、前記ターミナルアダプタに送信する接続要求制御ステップと、前記ターミナルアダプタが、前記通信中情報が付加された接続要求を受信すると、前記第１端末に、通信中に接続要求があった旨の通知情報を送信する通知情報送信ステップと、前記ターミナルアダプタが、前記通知情報を送信した後に、前記第１端末から、通信相手を切り替える旨の切り替え情報を受信すると、前記第１端末の通信相手を前記第２端末に切り替え、かつ、前記制御装置に、前記接続要求に対する応答を送信する応答送信ステップと、前記制御装置が、前記ターミナルアダプタから前記応答を受信すると、前記第１端末と前記第２端末とのセッションを確立して、前記第１端末と前記第２端末との間の通信を許容するセッション確立ステップと、を含む。
【００１５】
本発明の通信制御方法は、第１端末と接続するターミナルアダプタと、前記ターミナルアダプタと接続する制御装置と、前記制御装置と接続する通知装置と、を含む通信システムが行う通信制御方法であって、前記制御装置が、記憶手段に、セッションを確立して通信を行っている端末の識別情報を記憶する記憶ステップと、前記制御装置が、第２端末から前記第１端末への接続要求を受信した状況で、当該接続要求に記載の第１端末の識別情報が、前記記憶手段内に存在する場合、当該接続要求に、通信中に接続要求があった旨の通信中情報を付加し、当該通信中情報が付加された接続要求を、前記ターミナルアダプタおよび前記通知装置に送信する接続要求制御ステップと、前記通知装置が、前記通信中情報が付加された接続要求を受信すると、前記第１端末に、通信中に接続要求があった旨の通知情報を送信する通知情報送信ステップと、前記ターミナルアダプタが、前記通知情報を受信した前記第１端末から、通信相手を切り替える旨の切り替え情報を受信すると、前記第１端末の通信相手を前記第２端末に切り替え、かつ、前記制御装置に、前記接続要求に対する応答を送信する応答送信ステップと、前記制御装置が、前記ターミナルアダプタから前記応答を受信すると、前記第１端末と前記第２端末とのセッションを確立して、前記第１端末と前記第２端末との間の通信を許容するセッション確立ステップと、を含む。
【００１６】
本発明の通信システムは、第１端末と接続するターミナルアダプタと、前記ターミナルアダプタと接続する制御装置と、を含む通信システムであって、前記制御装置は、セッションを確立して通信を行っている端末の識別情報を記憶する記憶手段と、第２端末から前記第１端末への接続要求を受信した状況で、当該接続要求に記載の第１端末の識別情報が、前記記憶手段内に存在する場合、当該接続要求に、通信中に接続要求があった旨の通信中情報を付加し、当該通信中情報が付加された接続要求を、前記ターミナルアダプタに送信する接続要求制御手段と、前記ターミナルアダプタから前記接続要求に対する応答を受信すると、前記第１端末と前記第２端末とのセッションを確立して、前記第１端末と前記第２端末との間の通信を許容するセッション確立制御手段と、を含み、前記ターミナルアダプタは、前記制御装置から前記通信中情報が付加された接続要求を受信すると、前記第１端末に、通信中に接続要求があった旨の通知情報を送信する通知情報送信手段と、前記第１端末から、通信相手を切り替える旨の切り替え情報を受信すると、前記第１端末の通信相手を前記第２端末に切り替え、かつ、前記制御装置に、前記接続要求に対する応答を送信する応答送信手段と、を含む。
【００１７】
本発明の通信システムは、  第１端末と接続するターミナルアダプタと、前記ターミナルアダプタと接続する制御装置と、前記制御装置と接続する通知装置と、を含む通信システムであって、前記制御装置は、セッションを確立して通信を行っている端末の識別情報を記憶する記憶手段と、第２端末から前記第１端末への接続要求を受信した状況で、当該接続要求に記載の第１端末の識別情報が、前記記憶手段内に存在する場合、当該接続要求に、通信中に接続要求があった旨の通信中情報を付加し、当該通信中情報が付加された接続要求を、前記ターミナルアダプタおよび前記通知装置に送信する接続要求制御手段と、前記ターミナルアダプタから前記接続要求に対する応答を受信すると、前記第１端末と前記第２端末とのセッションを確立して、前記第１端末と前記第２端末との間の通信を許容するセッション確立制御手段と、を含み、前記通知装置は、前記通信中情報が付加された接続要求を受信すると、前記第１端末に、通信中に接続要求があった旨の通知情報を送信する通知情報送信手段を含み、前記ターミナルアダプタは、前記通知情報を受信した前記第１端末から、通信相手を切り替える旨の切り替え情報を受信すると、前記第１端末の通信相手を前記第２端末に切り替え、かつ、前記制御装置に、前記接続要求に対する応答を送信する応答送信手段を含む。
【発明の効果】
【００１８】
本発明によれば、セッション制御を有する通信において、通信相手の端末とセッションを確立して通信している状況で、他の端末から接続要求があった場合に、通信相手を他の端末に変更可能なサービスを実現することが可能になる。
【発明を実施するための最良の形態】
【００１９】
以下、本発明を実施するための形態について図面を参照して説明する。
【００２０】
図１は、本発明の第１の実施形態の通信システムを示すブロック図である。
【００２１】
図１において、通信システムは、ＴＡ（Terminal Adapter：ターミナルアダプタ）２、１０および１２と、ＮＡＴ（Network Address Transfer）４と、ＳＳＣ（Subscriber Session Control server：加入者セッション制御サーバ）５と、ＰＳＴＮ−ＧＷ（Public Switched Telephone Network - Gate Way）６と、を含む。ＴＡ（ターミナルアダプタ）２は電話機１と接続され、ＴＡ１０は電話機１１と接続され、ＴＡ１２は電話機１３と接続される。なお、ＴＡ２は電話機１と対応し、ＴＡ１０は電話機１１と対応し、ＴＡ１２は電話機１３と対応する。ＰＳＴＮ−ＧＷ６は、ＰＳＴＮ７内の交換機８を介して、電話機９と接続される。ＮＡＴ４とＳＳＣ５とＰＳＴＮ−ＧＷ６とは、ＮＧＮ３内に存在する。
【００２２】
なお、電話機１は、第１端末の一例として用いられる。電話機１１は、第２端末の一例として用いられる。電話機９および１３は、第３端末の一例として用いられる。
【００２３】
ここで、ＮＧＮ３において通信システムが提供するサービス（以下「コールウェイティングサービス」とも称する）の概要を説明する。
【００２４】
契約者の電話機１と通話相手の電話機９とがセッションを確立して通信を行っている状況で、割り込み者の電話機１１から電話機１への接続要求があると、電話機１に、通信中に接続要求があった旨が通知される。
【００２５】
続いて、契約者が電話機１に対して切り替え操作をすると、電話機１の通話相手が電話機９から電話機１１に切り替わり、電話機１と電話機１１とのセッションが確立され、電話機１と電話機１１との間の通信が実行される。
【００２６】
次に、通信システムの各構成要素について説明する。
【００２７】
電話機１、１１および１３は、ＩＰ電話機である。電話機９は、ＰＳＴＮ７に接続されている加入者電話機である。
【００２８】
ＴＡ２、１０および１２のそれぞれは、自己に対応する電話機（以下「対応電話機」と称する）の発信と着信の制御を行う機能と、対応電話機に割り込み音データを送出する機能と、対応電話機から切り替え情報を受信した際に、対応電話機の接続先を切り替える機能と、対応電話機の接続先の切り替えによって保留状態となった電話機に保留音データを送出する機能とを有している。
【００２９】
例えば、ＴＡ２は、電話機１の発信と着信の制御を行う機能と、電話機１に割り込み音データを送出する機能と、電話機１からの切り替え情報を受信した際に、電話機１の接続先を切り替える機能と、電話機１の接続先の切り替えによって保留状態となった電話機に保留音データを送出する機能とを有する。
【００３０】
割り込み音データは、通信中に接続要求があった旨の通知情報の一例である。なお、通知情報は、割り込み音データに限らず、例えば、端末として、表示機能付き情報処理装置が用いられた場合には、通信中に接続要求があった旨の映像データまたはテキストデータでもよい。
【００３１】
保留音データは、保留状態を知らせる旨の保留情報の一例である。なお、保留情報は、保留音データに限らず、例えば、端末として、表示機能付き情報処理装置が用いられた場合には、保留状態を知らせる旨の映像データまたはテキストデータでもよい。
【００３２】
ＮＧＮ３は、サービス制御層とパケット転送層とを有するネットワークである。ＮＧＮ３では、セッションとデータ通信とが、別々のプロトコルを用いて制御される。
【００３３】
ＮＡＴ４は、ＴＡ２、１０または１２側のＩＰアドレスを、ＮＧＮ３側のＩＰアドレスに変換する機能を有し、かつ、パケットを送受信するルータ機能を有している。
【００３４】
ＳＳＣ５は、制御装置の一例である。ＳＳＣ５は、ＮＧＮ３でのセッションを制御し、また、ＮＡＴ４を介して、ＴＡ２、１０および１２と接続し、ＰＳＴＮ−ＧＷ６と接続する。
【００３５】
図２は、ＳＳＣ５の一例を示したブロック図である。
【００３６】
図２において、ＳＳＣ５は、ＤＢ（データベース）記憶部１４と、制御部１５と、を含む。制御部１５は、接続要求制御部１５ａと、セッション確立制御部１５ｂと、を含む。
【００３７】
ＤＢ記憶部１４は、記憶部１４ａと、記憶部１４ｂと、を含む。
【００３８】
記憶部１４ａは、記憶手段の一例である。
【００３９】
記憶部１４ａは、セッションを確立して通信を行っている電話機の電話番号を記憶する。なお、記憶部１４ａに記憶されている電話機の電話番号は、セッションを確立して通信を行っている端末の識別情報の一例である。
【００４０】
図３は、記憶部１４ａ内の情報の一例を示した説明図である。
【００４１】
図３において、記憶部１４ａは、個々のセッションに付与された番号ごとに、セッションを確立して通信を行っている複数の電話機の電話番号と、その電話機が属するネットワークを示すネットワーク情報と、を記憶する。
【００４２】
図２に戻って、記憶部１４ｂは、格納手段の一例である。
【００４３】
記憶部１４ｂは、通信システムからサービスを受ける旨の契約にて指定された電話機の電話番号を記憶する。なお、記憶部１４ｂに記憶されている電話機の電話番号は、予め定められた端末の識別情報の一例である。
【００４４】
図４は、記憶部１４ｂ内の情報の一例を示した説明図である。
【００４５】
図２に戻って、接続要求制御部１５ａは、接続要求制御手段の一例である。
【００４６】
接続要求制御部１５ａは、例えば、電話機１１から電話機１への接続要求を受信した状況で、その接続要求に記載の電話機１の電話番号が、記憶部１４ａ内に存在する場合、その接続要求に、通信中に接続要求があった旨の通信中情報（Alert-Info）を付加する。
【００４７】
本実施形態では、接続要求制御部１５ａは、例えば、電話機１１から電話機１への接続要求を受信した状況で、その接続要求に記載の電話機１の電話番号が、記憶部１４ａ内および記憶部１４ｂ内に存在する場合、その接続要求に、通信中情報を付加する。
【００４８】
接続要求制御部１５ａは、その接続要求に通信中情報を付加すると、通信中情報が付加された接続要求を、接続要求に示された電話機１に対応するＴＡ２に送信する。
【００４９】
セッション確立制御部１５ｂは、セッション制御確立手段の一例である。
【００５０】
セッション確立制御部１５ｂは、例えば、接続要求制御部１５ａが、通信中情報付きの、電話機１１から電話機１への接続要求を、ＴＡ２に送信した後に、ＴＡ２からその接続要求に対する応答を受信すると、電話機１と電話機１１とのセッションを確立して、電話機１と電話機１１との間の通信を許容する。
【００５１】
図５は、ＴＡ２の一例を示したブロック図である。なお、ＴＡ１０および１２は、ＴＡ２と同一構成であるので、それらの説明は省略する。
【００５２】
図５において、ＴＡ２は、通知情報送信部２ａと、応答送信部２ｂと、保留情報送信部２ｃと、を含む。
【００５３】
通知情報送信部２ａは、通知情報送信手段の一例である。
【００５４】
通知情報送信部２ａは、ＳＳＣ５から通信中情報が付加された接続要求を受信すると、対応電話機（この場合、電話機１）に、割り込み音データを送信する。
【００５５】
なお、対応電話機は、割り込み音データを受信すると、割り込み音データに応じた割り込み音を出力する。対応電話機の使用者は、割り込み音を聞くことによって、通信中に接続要求があったことを認識する。
【００５６】
対応電話機の使用者は、対応電話機の通信相手を、通信中に接続要求を送信した電話機に切り替える場合、対応電話機を操作して、対応電話機から、通信相手を切り替える旨の切り替え情報を、対応するＴＡに送信させる。
【００５７】
応答送信部２ｂは、応答送信手段の一例である。
【００５８】
応答送信部２ｂは、対応電話機（この場合、電話機１）から、切り替え情報を受信すると、対応電話機の通信相手を、通信中に接続要求を送信した電話機に切り替え、かつ、ＳＳＣ５に、その接続要求に対する応答を送信する。
【００５９】
保留情報送信部２ｃは、保留情報送信手段の一例である。
【００６０】
保留情報送信部２ｃは、例えば、対応電話機（この場合、電話機１）が電話機９とセッションを確立して通信を行っている際に、対応電話機から切り替え情報を受信すると、電話機９に、保留音データを送信する。
【００６１】
電話機９は、保留音データを受信すると、保留音データに応じた保留音を出力する。
【００６２】
ＰＳＴＮ−ＧＷ６は、ＮＧＮ３とＰＳＴＮ７との間で情報が通信される際、その情報を変換する。また、ＰＳＴＮ−ＧＷ６は、交換機８からの音声信号をパケットに変換し、そのパケットをＳＳＣ５に送信する。
【００６３】
次に、通信システムの動作の概要を説明する。
【００６４】
契約者が、電話機１を操作して、通話相手の電話機９の電話番号をダイヤルすると、ＴＡ２は、電話機１から呼び出し信号を受け取り、電話機１から電話機９への接続要求（ＩＮＶＩＴＥ）を、ＮＡＴ４に送信する。
【００６５】
ＮＡＴ４は、その接続要求を受信すると、その接続要求に記載されたＴＡ２側のＩＰアドレスを、ＮＧＮ３側のＩＰアドレスに変換し、変換後のＩＰアドレスが記載された接続要求を、ＳＳＣ５に送信する。
【００６６】
ＳＳＣ５は、その接続要求を受信すると、その接続要求に記載されている電話機９の電話番号に基づいて、電話機９が接続しているＰＳＴＮ−ＧＷ６のＩＰアドレスを検索し、その接続要求をＰＳＴＮ−ＧＷ６に転送する。
【００６７】
ＰＳＴＮ−ＧＷ６は、その接続要求を受信すると、ＰＳＴＮ７への接続のために、その接続要求を信号変換し、変換後のアナログ制御信号を、ＰＳＴＮ７の交換機８経由で、電話機９に転送する。
【００６８】
相手が、電話機９の受話器を上げることで、電話機９は、交換機８とＰＳＴＮ−ＧＷ６経由で、ＳＳＣ５に、接続要求に対する応答を転送する。ＳＳＣ５は、その応答を受信すると、その応答をＴＡ２に転送する。ＴＡ２は、その応答を受信すると、ＳＳＣ５経由で、確認応答を、電話機９に転送する。
【００６９】
これにより、ＳＳＣ５が、電話機１と電話機９とのセッションを確立し、その後、電話機１と電話機９との間で通話をすることができる。
【００７０】
電話機１と電話機９との間で通話が行われている間に、割り込み者の電話機１１から電話機１への接続要求が、ＴＡ１０とＮＡＴ４経由で、ＳＳＣ５にて受信されると、ＳＳＣ５内の接続要求制御部１５ａは、電話機１が、コールウェイティングサービスに登録にされているか無いかと、電話機１が、他の電話機とセッションを確立させて通信中であるか無いかとを、ＤＢ記憶部１４を参照して確認する。
【００７１】
電話機１がコールウェイティングサービスに登録にされており、かつ、電話機１が他の電話機とセッションを確立させて通信中であると、接続要求制御部１５ａは、電話機１１からの接続要求のヘッダ部に対し、電話機１と電話機９との通信中に着信した旨の通信中情報（以下「通話中着信表示情報」と称する）を設定し、ＴＡ２に、通話中着信表示情報を付加した接続要求を転送する。
【００７２】
ＴＡ２内の通知情報送信部２ａは、通話中着信表示情報が付加されている接続要求を受信すると、通話中の電話機１に対し、割り込み音データを送出する。
【００７３】
契約者は、電話機１を用いた電話機９との通話中に、割り込み音を認識すると、他の電話機が着信したことを把握する。
【００７４】
続いて、契約者は、現在の通話先の電話機の使用者に通話を一時保留することを通知する。その後、契約者は、電話機１に対して切り替え操作を行うことで、切り替え情報が、電話機１からＴＡ２に送出される。
【００７５】
ＴＡ２内の応答送信部２ｂは、電話機１から切り替え情報を受信すると、電話機１の通信相手を、電話機９に切り替え、かつ、ＳＳＣ５に、電話機１１からの接続要求に対する応答（２００ＯＫ等）を送信する。また、電話機１の通信相手の切り替えに伴い、ＴＡ２内の保留情報送信部２ｃは、電話機９に、保留音データを送信する。
【００７６】
ＳＳＣ５内のセッション確立制御部１５ｂは、ＴＡ２からその応答を受信すると、その応答をＴＡ１０経由で、電話機１１に送信する。
【００７７】
電話機１１は、その応答を受信すると、確認応答を、セッション確立制御部１５ｂ経由で、ＴＡ２に送信する。
【００７８】
ＴＡ２が確認応答を受信すると、セッション確立制御部１５ｂは、電話機１と電話機１１とのセッションを確立し、電話機１と電話機１１との間で通信が許容される。
【００７９】
また、電話機１が通話する相手が、電話機１３の場合は、契約者が、電話機１を操作して電話機１３の電話番号にダイヤルすることで、電話機１から電話機１３への接続要求が、ＴＡ２、ＮＡＴ４、ＳＳＣ５およびＴＡ１２経由で、電話機１３に送信される。
【００８０】
ＴＡ２は、電話機１３からの応答を、ＴＡ１２、ＳＳＣ５およびＮＡＴ４経由で受信すると、確認応答を電話機１３に転送する。
【００８１】
これにより、ＳＳＣ５は、電話機１と電話機１３のセッションを確立し、電話機１と電話機１３との間で通話が可能となる。
【００８２】
電話機１と電話機１３との間で通話が行われている間、ＳＳＣ５内の接続要求制御部１５ａが、電話機１１から電話機１への接続要求を受信すると、接続要求制御部１５ａは、ＤＢ記憶部１４を参照する。
【００８３】
電話機１がコールウェイティングサービスに登録にされており、かつ、電話機１が他の電話機とセッションを確立させて通信中であると、接続要求制御部１５ａは、通話中着信表示情報を、電話機１１からの接続要求のヘッダ部に設定し、ＴＡ２に、通話中着信表示情報を付加した接続要求を転送する。
【００８４】
ＴＡ内の通知情報送信部２ａは、通話中着信表示情報が付加されている接続要求を受信すると、通話中の電話機１に対し、割り込み音データを送信する。
【００８５】
その後、契約者が電話機１に対して切り替え操作を行うことで、切り替え情報が、ＴＡ２に送信される。
【００８６】
ＴＡ２内の応答送信部２ｂは、切り替え情報を受信すると、電話機１の通信相手を、電話機１３から電話機１１に切り替え、かつ、ＳＳＣ５に、電話機１１からの接続要求に対する応答（２００ＯＫ等）を送信する。また、電話機１の通信相手の切り替えに伴い、ＴＡ２内の保留情報送信部２ｃは、電話機１１に、保留音データを送信する。
【００８７】
ＳＳＣ５内のセッション確立制御部１５ｂは、ＴＡ２からその応答を受信すると、その応答をＴＡ１０経由で、電話機１１に送信する。電話機１１は、その応答を受信すると、確認応答を、セッション確立制御部１５ｂ経由で、ＴＡ２に送信する。ＴＡ２が確認応答を受信すると、セッション確立制御部１５ｂは、電話機１と電話機１１とのセッションを確立し、電話機１と電話機１１との間で通信が許容される。
【００８８】
図６は、通信システムの動作を説明するための説明図である。以下、図６を参照して、通信システムの動作を説明する。なお、図６において、図１に示したものと同一構成のものには同一符号を付してある。
【００８９】
契約者の電話機１が、ＳＳＣ５およびＰＳＴＮ−ＧＷ６経由で、電話機９との間で通話中の状況下で、割り込み者が、電話機１１を操作して電話機１の電話番号をダイヤルすると、電話機１１は、ＴＡ１０に、電話機１１から電話機１への接続要求を送信する。
【００９０】
ＴＡ１０は、電話機１１から電話機１への接続要求を受信すると、ＮＡＴ４経由で、ＳＳＣ５の接続要求制御部１５ａに、電話機１１から電話機１への接続要求（ＩＮＶＩＴＥ）を送信する。
【００９１】
接続要求制御部１５ａは、電話機１１から電話機１への接続要求を受信すると、ＤＢ記憶部１４を参照して、電話機１がコールウェイティングサービスに登録にされており、かつ、電話機１が他の電話機とセッションを確立させて通信中であるかを確認する。
【００９２】
電話機１がコールウェイティングサービスに登録にされており、かつ、電話機１が他の電話機とセッションを確立させて通信中であると、接続要求制御部１５ａは、電話機１１からの接続要求（ＩＮＶＩＴＥ）のうち、アドレス情報と制御情報とを含むヘッダ部に、通話中着信表示情報（Ａｌｅｒｔ−Ｉｎｆｏ）を設定する。
【００９３】
このとき、電話機１１は、接続要求制御部１５ａからの通話中着信音の呼び出し音「ブルルルルルッ」を出力し、割り込み者は、呼び出し中であることを把握する。
【００９４】
接続要求制御部１５ａは、通話中着信表示情報が設定された電話機１１からの接続要求を、ＴＡ２に送信する。
【００９５】
ＴＡ２内の通知情報送信部２ａは、通話中着信表示情報が設定された電話機１１からの接続要求を受信すると、受信した通話中着信表示情報を、割り込み音データ（ププッ・ププッの音に対応するデータ）に変換し、電話機１に送信する。
【００９６】
電話機１は、割り込み音データを受信すると、割り込み音データに応じた割り込み音を出力する。
【００９７】
契約者は、割り込み音を確認することによって、他の電話機から着信があったことを把握し、電話機１のフック切り替え操作をすることで、切り替え情報が、ＴＡ２に送信される。
【００９８】
ＴＡ２内の応答送信部２ｂは、切り替え情報を受信すると、電話機１に送信するパケットを、電話機９からの音声パケットから、電話機１１からの音声パケットに切り替える。つまり、応答送信部２ｂは、電話機１の通信相手を、電話機９から電話機１１に切り替える。
【００９９】
この切り替えに伴い、保留情報送信部２ｃは、電話機９に対し、メロディなどに応じた保留音データを送出する。
【０１００】
さらに、応答送信部２ｂは、電話機１１からの接続要求に対する応答を、ＳＳＣ５に送信する。
【０１０１】
ＳＳＣ５内のセッション確立制御部１５ｂは、電話機１１からの接続要求に対する応答を受信すると、その応答をＴＡ１０経由で、電話機１１に送信する。電話機１１は、その応答を受信すると、確認応答を、セッション確立制御部１５ｂ経由で、ＴＡ２に送信する。ＴＡ２が確認応答を受信すると、セッション確立制御部１５ｂは、電話機１と電話機１１とのセッションを確立し、電話機１と電話機１１との間で通信が許容される。
【０１０２】
契約者は、電話機１１を使用する割り込み者と通話を終了した後、再度、切り替え操作を行うことで、保留している電話機９と電話機１とを接続して、電話機９の使用者と通話することができる。
【０１０３】
また、接続要求制御部１５ａは、電話機１１から電話機１への接続要求の受信時に、ＤＢ記憶部１４を確認した際に、電話機１の電話番号が、記憶部１４ａにも記憶部１４ｂにも存在しない場合、ビジーレスポンスを電話機１１に送信し、割り込み者の着信を拒否することができる。
【０１０４】
ＳＳＣ５は、電話機１と電話機９との間で通話が行われている際に、電話機１１から電話機１への接続要求を受信したとき、電話機１の電話番号が記憶部１４ａおよび１４ｂの両方に存在する場合に、電話機１と電話機９とが通話中の第１セッションを制御し、さらに、電話機１１と電話機１との間での通話を可能にする第２セッションの制御を行うことが可能である。つまり、ＳＳＣ５は、１通話の契約で最大２通話のセッション数を制御することができる機能を有する。
【０１０５】
電話機１と接続しているＴＡ２と、ＮＧＮ３のＳＳＣ５とで、構成される通信システムは、ＮＡＴ４を介し、ＳＳＣ５が、電話機１１からの接続要求のヘッダ部に、通信中に着信した旨の通話中着信表示情報の設定を行い、通話中着信表示情報が設定された接続要求をＴＡ２に送出することができ、ＴＡ２が、電話機１に割り込み音を送出することができる機能を有している。
【０１０６】
図７は、通信システムの動作シーケンスを説明するためのシーケンス図である。
【０１０７】
電話機９が通信を行っていないときに、契約者が、電話機１を操作して、電話機９の電話番号をダイヤルすると、電話機１は、ＴＡ２に、電話機１から電話機９への接続要求を送信する。ＴＡ２は、電話機１から電話機９への接続要求を受信すると、その接続要求を、ＮＡＴ４経由で、ＳＳＣ５に送出する（ステップＳ１）。
【０１０８】
ＳＳＣ５は、電話機１から電話機９への接続要求を受信すると、接続要求に記載された電話機９の電話番号に基づいて、電話機９のＩＰアドレスを検索し、その後、電話機１から電話機９への接続要求をＰＳＴＮ−ＧＷ６に転送する。ＰＳＴＮ−ＧＷ６は、電話機１から電話機９への接続要求を受信すると、ＰＳＴＮ７に接続のために、電話機１から電話機９への接続要求について信号変換を行い、電話機９に、変換後の接続要求を転送する（ステップＳ２）。
【０１０９】
電話機９は、電話機１から電話機９への接続要求を受信すると、ＰＳＴＮ−ＧＷ６、ＳＳＣ５およびＮＡＴ４経由で、ＴＡ２に、その接続応答に対する応答を転送する（ステップＳ３）。
【０１１０】
ＴＡ２は、電話機９から応答を受信すると、ＮＡＴ４およびＳＳＣ５経由で、確認応答を、ＰＳＴＮ−ＧＷ６に転送する（ステップＳ４）。
【０１１１】
これにより、ＳＳＣ５は、電話機１と電話機９とのセッションを確立し、電話機１と電話機９との間で通話することができる。このとき、セッション確立制御部１５ｂは、記憶部１４ａに、電話機１および９の電話番号、並びに、電話機１および９が属するネットワークを示すネットワーク情報を記憶する。
【０１１２】
電話機１と電話機９との間で通話が行われているときに（ステップＳ５）、割り込み者の電話機１１が、ＴＡ１０に、電話機１１から電話機１への接続要求を送信すると、ＴＡ１０は、ＮＡＴ４経由で、電話機１１から電話機１への接続要求を、ＳＳＣ５に転送する（ステップＳ６）。
【０１１３】
ＳＳＣ５は、電話機１１から電話機１への接続要求を受信すると、電話機１の電話番号が記憶部１４ａおよび１４ｂの両方に登録されているかを確認する。電話機１の電話番号が記憶部１４ａおよび１４ｂの両方に登録されている場合に、ＳＳＣ５は、電話機１１から電話機１への接続要求のヘッダ部に、通話中着信表示情報を設定し（ステップＳ７）、ＴＡ２に、通話中着信表示情報が付加された接続要求を送出する。ＴＡ２は、通話中着信表示情報が付加された接続要求を受信すると、割り込み音データを電話機１に送信する（ステップＳ８）。
【０１１４】
電話機１は、割り込み音データを受信すると、割り込み音データに応じた割り込み音を出力する。
【０１１５】
契約者が、通話中に、電話機１からの割り込み音を確認し、電話機１に対して切り替え操作を行うと、電話機１は、ＴＡ２に切り替え情報を送信する（ステップＳ９）。
【０１１６】
ＴＡ２は、切り替え情報を受信すると、ＳＳＣ５に、電話機１１から電話機１への接続要求に対する応答を送信し、さらに、電話機１からの音声パケットが電話機１１に送信され、かつ、電話機１１からの音声パケットが電話機１に送信されるように、電話機１の通信相手を切り替える（ステップＳ１０）。
【０１１７】
ＳＳＣ５は、電話機１１から電話機１への接続要求に対する応答を受信すると、その応答をＴＡ１０経由で、電話機１１に送信する。電話機１１は、その応答を受信すると、確認応答を、ＳＳＣ５経由で、ＴＡ２に送信する。ＴＡ２が確認応答を受信することで、ＳＳＣ５は、電話機１と電話機１１とのセッションを確立し、電話機１と電話機１１との間で通信が許容される（ステップＳ１２）。
【０１１８】
なお、ＳＳＣ５は、電話機１１から確認応答を受信すると、電話機１１についての料金支払い契約者に対して、課金を開始する。
【０１１９】
また、ＴＡ２は、切り替え情報を受信すると、電話機９にメロディ等に応じた保留音データを送信する（ステップＳ１１）。
【０１２０】
次に、本実施形態の効果を説明する。
【０１２１】
本実施形態は、電話の着信呼の多い小売店などサービス事業者に適しており、第３者の割り込み電話への対応ができ、サービス向上が図れる。
【０１２２】
また、本実施形態によれば、複数の一般加入者が容易に利用可能なコールウェイティングサービスを、セッション管理を必要とする通信網で提供することができる。
【０１２３】
セッション管理を必要とする通信網においてコールウェイティング契約者が相手と長時間の電話をしている際に、親戚或いは知人から緊急な用事の電話があったとき、契約者は、フッキング操作するだけで、親戚などの緊急用件を確認し対応することができる。
【０１２４】
本実施形態にて実現されるコールウェイティングサービスを複数の一般ユーザが利用することで、通信サービス事業者は収益を得ることができる。
【０１２５】
本実施形態によれば、記憶部１４ａは、セッションを確立して通信を行っている電話機の電話番号を記憶する。
【０１２６】
接続要求制御部１５ａは、例えば、電話機１１から電話機１への接続要求を受信した状況で、その接続要求に記載の電話機１の電話番号が、記憶部１４ａ内に存在する場合、その接続要求に通信中情報を付加し、通信中情報が付加された接続要求を、接続要求に示された電話機１に対応するＴＡ２に送信する。
【０１２７】
通知情報送信部２ａは、ＳＳＣ５から通信中情報が付加された接続要求を受信すると、対応電話機（この場合、電話機１）に、割り込み音データを送信する。
【０１２８】
応答送信部２ｂは、対応電話機（この場合、電話機１）から、切り替え情報を受信すると、対応電話機の通信相手を、通信中に接続要求を送信した電話機に切り替え、かつ、ＳＳＣ５に、その接続要求に対する応答を送信する。
【０１２９】
セッション確立制御部１５ｂは、例えば、接続要求制御部１５ａが、通信中情報付きの、電話機１１から電話機１への接続要求を、ＴＡ２に送信した後に、ＴＡ２からその接続要求に対する応答を受信すると、電話機１と電話機１１とのセッションを確立して、電話機１と電話機１１との間の通信を許容する。
【０１３０】
このため、セッション制御を有する通信において、通信相手の電話機とセッションを確立して通信している状況で、他の電話機から接続要求があった場合に、通信相手を他の電話機に変更可能なサービスを実現することが可能になる。
【０１３１】
本実施形態では、記憶部１４ｂは、通信システムからサービスを受ける旨の契約にて指定された電話機の電話番号を記憶する。
【０１３２】
接続要求制御部１５ａは、例えば、電話機１１から電話機１への接続要求を受信した状況で、その接続要求に記載の電話機１の電話番号が、記憶部１４ａ内および記憶部１４ｂ内に存在する場合、その接続要求に、通信中情報を付加する。
【０１３３】
この場合、例えば、通信システムからサービスを受ける旨の契約にて指定された電話機に対してのみ、通信相手の電話機とセッションを確立して通信している状況で、他の電話機から接続要求があった場合に、通信相手を他の電話機に変更可能なサービスを実現することが可能になる。
【０１３４】
本実施形態では、通知情報送信部２ａは、ＳＳＣ５から通信中情報が付加された接続要求を受信すると、対応電話機（この場合、電話機１）に、割り込み音データを送信する。
【０１３５】
この場合、ＴＡから電話機に割り込み音データを送信することが可能になる。
【０１３６】
なお、本実施形態において、ＳＳＣ５は、ＣＤ−ＲＯＭ、ハードディスクまたはメモリに記録されたプログラムに従って動作するコンピュータによって実現されてもよい。ＣＤ−ＲＯＭ、ハードディスクまたはメモリは、一般的に、コンピュータにて読み取り可能な記録媒体と呼ぶことができる。
【０１３７】
この場合、コンピュータは、そのプログラムを記録媒体から読み取り実行することによって、ＤＢ記憶部１４、接続要求制御部１５ａ、および、セッション確立制御部１５ｂとして機能し、ＳＳＣ５を実現する。
【０１３８】
次に、本発明の他の実施形態を説明する。
【０１３９】
本発明の他の実施形態の通信システムが、図１に示した通信システムと異なる点は、ＮＧＮ３側に音源サーバ１６が設けられ、ＳＳＣ５の代わりにＳＳＣ５Ａを含み、ＴＡ２、１０および１２の代わりにＴＡ２Ａ、１０Ａおよび１２Ａを含む点であり、特には、音源サーバ１６が、割り込み音データと保留音データのそれぞれを送信する点である。
【０１４０】
図８は、音源サーバ１６と、ＳＳＣ５Ａと、ＴＡ２Ａとを示したブロック図である。なお、ＴＡ１０Ａおよび１２Ａは、ＴＡ２Ａと同様の機能を有するので、説明を割愛する。
【０１４１】
図８において、ＳＳＣ５Ａは、制御装置の一例である。ＳＳＣ５は、ＤＢ記憶部１４と、接続要求制御部１５ａＡと、セッション確立制御部１５ｂＡと、を含む。
【０１４２】
接続要求制御部１５ａＡは、接続要求制御手段の一例である。
【０１４３】
接続要求制御部１５ａＡは、例えば、電話機１１から電話機１への接続要求を受信した状況で、その接続要求に記載の電話機１の電話番号が、記憶部１４ａ内に存在する場合、その接続要求に、通信中情報（Alert-Info）を付加する。
【０１４４】
本実施形態では、接続要求制御部１５ａＡは、例えば、電話機１１から電話機１への接続要求を受信した状況で、その接続要求に記載の電話機１の電話番号が、記憶部１４ａ内および記憶部１４ｂ内に存在する場合、その接続要求に、通信中情報を付加する。
【０１４５】
接続要求制御部１５ａＡは、その接続要求に通信中情報を付加すると、通信中情報が付加された接続要求を、電話機１に対応するＴＡ２Ａおよび音源サーバ１６に送信する。
【０１４６】
セッション確立制御部１５ｂＡは、セッション確立制御手段の一例である。
【０１４７】
セッション確立制御部１５ｂＡは、例えば、電話機１１から接続要求を受けた電話機１に対応するＴＡ２Ａから、その接続要求に対する応答を受信すると、電話機１と電話機１１とのセッションを確立して、電話機１と電話機１１との間の通信を許容する。
【０１４８】
また、セッション確立制御部１５ｂＡは、例えば、ＴＡ２Ａから応答を受信すると、さらに、音源サーバ１６に、保留情報を出力する旨の出力指示を送信する。
【０１４９】
音源サーバ１６は、通知装置の一例である。音源サーバ１６は、通知情報送信部１６ａと、保留情報送信部１６ｂと、を含む。
【０１５０】
通知情報送信部１６ａは、通知情報送信手段の一例である。
【０１５１】
通知情報送信部１６ａは、例えば、通信中情報が付加された、電話機１１から電話機１への接続要求を受信すると、電話機１に、割り込み音データを送信する。
【０１５２】
保留情報送信部１６ｂは、保留情報送信手段の一例である。
【０１５３】
保留情報送信部１６ｂは、例えば、ＳＳＣ５Ａから出力指示を受信すると、電話機１の通信相手のうち、電話機１１の直前の通信相手であった電話機９に保留音データを送信する。
【０１５４】
ＴＡ２Ａは、応答送信部２ｂＡを含む。応答送信部２ｂＡは、応答送信手段の一例である。
【０１５５】
応答送信部２ｂＡは、対応電話機から切り替え情報を受信すると、対応電話機の通信相手を、切り替え指示に従って切り替え、さらに、ＳＳＣ５Ａに、対応電話機への接続要求に対する応答を送信する。
【０１５６】
なお、ＴＡ２Ａは電話機１と接続され、ＴＡ１０Ａは電話機１１と接続され、ＴＡ１２Ａは電話機１３と接続される。なお、ＴＡ２Ａは電話機１と対応し、ＴＡ１０Ａは電話機１１と対応し、ＴＡ１２Ａは電話機１３と対応する。
【０１５７】
ＴＡ２Ａ、１０および１２のそれぞれの応答送信部は、対応電話機から切り替え情報を受信すると、対応電話機の通信相手を、切り替え指示に従って切り替え、さらに、ＳＳＣ５Ａに、対応電話機への接続要求に対する応答を送信する。
【０１５８】
なお、ＳＳＣ５Ａは、ＣＤ−ＲＯＭ、ハードディスクまたはメモリに記録されたプログラムに従って動作するコンピュータによって実現されてもよい。この場合、コンピュータは、そのプログラムを記録媒体から読み取り実行することによって、ＤＢ記憶部１４、接続要求制御部１５ａＡ、および、セッション確立制御部１５ｂＡとして機能し、ＳＳＣ５Ａを実現する。
【０１５９】
図９は、図８に示した通信システムの動作シーケンスを説明するためのシーケンス図である。
【０１６０】
電話機９が通信を行っていないときに、契約者が、電話機１を操作して、電話機９の電話番号をダイヤルすると、電話機１は、ＴＡ２Ａに、電話機１から電話機９への接続要求を送信する。ＴＡ２Ａは、電話機１から電話機９への接続要求を受信すると、その接続要求を、ＮＡＴ４経由で、ＳＳＣ５Ａに送出する（ステップＳ１Ａ）。
【０１６１】
ＳＳＣ５Ａ内の接続要求制御部１５ａＡは、電話機１から電話機９への接続要求を受信すると、接続要求に記載された電話機９の電話番号に基づいて、電話機９のＩＰアドレスを検索し、その後、電話機１から電話機９への接続要求をＰＳＴＮ−ＧＷ６に転送する。ＰＳＴＮ−ＧＷ６は、電話機１から電話機９への接続要求を受信すると、ＰＳＴＮ７に接続のために、電話機１から電話機９への接続要求について信号変換を行い、電話機９に、変換後の接続要求を転送する（ステップＳ２Ａ）。
【０１６２】
電話機９は、電話機１から電話機９への接続要求を受信すると、ＰＳＴＮ−ＧＷ６、ＳＳＣ５ＡおよびＮＡＴ４経由で、ＴＡ２Ａに、その接続応答に対する応答を転送する（ステップＳ３Ａ）。
【０１６３】
ＴＡ２Ａは、電話機９から応答を受信すると、ＮＡＴ４およびＳＳＣ５Ａ経由で、確認応答を、ＰＳＴＮ−ＧＷ６に転送する（ステップＳ４Ａ）。
【０１６４】
これにより、ＳＳＣ５Ａ内のセッション確立制御部１５ｂＡは、電話機１と電話機９とのセッションを確立し、電話機１と電話機９との間で通話することができる。このとき、セッション確立制御部１５ｂＡは、記憶部１４ａに、電話機１および９の電話番号、並びに、電話機１および９が属するネットワークを示すネットワーク情報を記憶する。
【０１６５】
電話機１と電話機９との間で通話が行われているときに（ステップＳ５Ａ）、割り込み者の電話機１１が、ＴＡ１０Ａに、電話機１１から電話機１への接続要求を送信すると、ＴＡ１０Ａは、ＮＡＴ４経由で、電話機１１から電話機１への接続要求を、ＳＳＣ５Ａに転送する（ステップＳ６Ａ）。
【０１６６】
ＳＳＣ５Ａ内の接続要求制御部１５ａＡは、電話機１１から電話機１への接続要求を受信すると、電話機１の電話番号が記憶部１４ａおよび１４ｂの両方に登録されているかを確認する。電話機１の電話番号が記憶部１４ａおよび１４ｂの両方に登録されている場合に、接続要求制御部１５ａＡは、電話機１１から電話機１への接続要求のヘッダ部に、通話中着信表示情報を設定し（ステップＳ７Ａ）、ＴＡ２Ａと音源サーバ１６に、通話中着信表示情報が付加された接続要求を送出する。音源サーバ１６内の通知情報送信部１６ａは、通話中着信表示情報が付加された接続要求を受信すると、割り込み音データを電話機１に送信する（ステップＳ８Ａ）。
【０１６７】
電話機１は、割り込み音データを受信すると、割り込み音データに応じた割り込み音を出力する。
【０１６８】
契約者が、通話中に、電話機１からの割り込み音を確認し、電話機１に対して切り替え操作を行うと、電話機１は、ＴＡ２Ａに切り替え情報を送信する（ステップＳ９Ａ）。
【０１６９】
ＴＡ２Ａ内の応答送信部２ｂＡは、切り替え情報を受信すると、ＳＳＣ５Ａに、電話機１１から電話機１への接続要求に対する応答を送信し、さらに、電話機１からの音声パケットが電話機１１に送信され、かつ、電話機１１からの音声パケットが電話機１に送信されるように、電話機１の通信相手を切り替える（ステップＳ１０Ａ）。
【０１７０】
ＳＳＣ５Ａ内のセッション確立制御部１５ｂＡは、電話機１１から電話機１への接続要求に対する応答を受信すると、その応答をＴＡ１０Ａ経由で、電話機１１に送信する。電話機１１は、その応答を受信すると、確認応答を、ＳＳＣ５Ａ経由で、ＴＡ２Ａに送信する。ＴＡ２Ａが確認応答を受信することで、セッション確立制御部１５ｂＡは、電話機１と電話機１１とのセッションを確立し、電話機１と電話機１１との間で通信が許容される（ステップＳ１２Ａ）。
【０１７１】
なお、セッション確立制御部１５ｂＡは、電話機１１から確認応答を受信すると、電話機１１についての料金支払い契約者に対して、課金を開始する。
【０１７２】
また、セッション確立制御部１５ｂＡは、電話機１１から確認応答を受信すると、音源サーバ１６に出力指示を送信する。
【０１７３】
音源サーバ１６内の保留情報送信部１６ｂは、電話機１が電話機９とセッションを確立して通信を行っている際に、ＳＳＣ５Ａから出力指示を受信すると、電話機９に保留音データを送信する（ステップＳ１１Ａ）。
【０１７４】
本実施形態でも、セッション制御を有する通信において、通信相手の電話機とセッションを確立して通信している状況で、他の電話機から接続要求があった場合に、通信相手を他の電話機に変更可能なサービスを実現できる。
【０１７５】
また、ＮＧＮ３側に音源サーバ１６が設けられているので、各ＴＡは、割り込み音データや保留音データ等の通知用情報を保持する必要がなく、ＴＡの簡略化を図ることが可能になる。
【０１７６】
以上説明した各実施形態において、図示した構成は単なる一例であって、本発明はその構成に限定されるものではない。
【０１７７】
例えば、各端末は、電話機に限るものではなく、電話機能またはデータ通信機能を有する情報処理装置（例えば、パーソナルコンピュータ）でもよい。
【０１７８】
また、端末の間で通信されるデータは、音声データに限らず、適宜変更可能である。例えば、端末間で通信されるデータは、映像データ、テキストデータ、または、複数種類のデータ（例えば、音声データと映像データ、映像データとテキストデータ、音声データとテキストデータ、または、音声データと映像データとテキストデータ）でもよい。
【０１７９】
端末として、例えば、テレビ電話機が用いられる場合、端末間で通信されるデータは、例えば、音声データと映像データの両方となる。
【図面の簡単な説明】
【０１８０】
【図１】図１は、本発明の第１の実施形態の通信システムを示すブロック図である。
【図２】ＳＳＣ５の一例を示したブロック図である。
【図３】記憶部１４ａ内の情報の一例を示した説明図である。
【図４】記憶部１４ｂ内の情報の一例を示した説明図である。
【図５】ＴＡ２の一例を示したブロック図である。
【図６】通信システムの動作を説明するための説明図である。
【図７】通信システムの動作シーケンスを説明するためのシーケンス図である。
【図８】本発明の他の実施形態の通信システムを示すブロック図である。
【図９】図８に示した通信システムの動作シーケンスを説明するためのシーケンス図である。
【図１０】交換機によるコールウェイティングサービス例を示す図である。
【符号の説明】
【０１８１】
１、９、１１、１３  電話機
２、１０、１２、２Ａ、１０Ａ、１２Ａ  ＴＡ
２ａ  通知情報送信部
２ｂ、２ｂＡ  応答送信部
２ｃ  保留情報送信部
３  ＮＧＮ
４  ＮＡＴ
５  ＳＳＣ
６  ＰＳＴＮ−ＧＷ
７  ＰＳＴＮ
８  交換機
１４  ＤＢ記憶部
１４ａ、１４ｂ  記憶部
１５  制御部
１５ａ、１５ａＡ  接続要求制御部
１５ｂ、１５ｂＡ  セッション確立制御部
１６  音源サーバ
１６ａ  通知情報送信部
１６ｂ  保留情報送信部
【図１】
2010147646.tif 000003
【図２】
2010147646.tif 000004
【図３】
2010147646.tif 000005
【図４】
2010147646.tif 000006
【図５】
2010147646.tif 000007
【図６】
2010147646.tif 000008
【図７】
2010147646.tif 000009
【図８】
2010147646.tif 000010
【図９】
2010147646.tif 000011
【図１０】
2010147646.tif 000012